(57)【要約】【課題】  装置本体に設けられた電気的コネクタ部を確実に防塵防水することができる防塵防水構造を備えた内視鏡装置の提供。【解決手段】  本発明による内視鏡装置１は、内視鏡２、及び装置本体３を具備し、上記装置本体の一面に配設され、外部機器、或いは電源と接続される電気コネクタ２４，２５，３３が凹部１１（１２，１９）内に配設された電気コネクタ部１４（１５，４６）と、該電気コネクタ部の上記凹部に着脱自在に密接して係入される軟質部５４（８５）と、該軟質部上に固設され、該軟質部の外形よりも大きな外形を備えた硬質部５７（７６）と、を有するカバー体３１（３２，７１）と、を備えたことを特徴とする。【選択図】図１０
2008287188.tif 000002
【特許請求の範囲】
【請求項１】
内視鏡、及び装置本体を具備する内視鏡装置であって、
上記装置本体の一面に配設され、外部機器、或いは電源と接続される電気コネクタが凹部内に配設された電気コネクタ部と、
該電気コネクタ部の上記凹部に着脱自在に密接して係入される軟質部と、該軟質部上に固設され、該軟質部の外形よりも大きな外形を備えた硬質部と、を有するカバー体と、
を備えたことを特徴とする内視鏡装置。
【請求項２】
上記軟質部が中空形状であって、
上記軟質部の少なくとも３つの内面に当接するように設けられ、該軟質部の内側への弾性変形を規制する硬質な規制部材を有していることを特徴とする請求項１に記載の内視鏡装置。
【請求項３】
上記硬質部は、板体であることを特徴とする請求項１、又は請求項２に記載の内視鏡装置。
【請求項４】
上記規制部材は、２つのブロック体であることを特徴とする請求項２、又は請求項３に記載の内視鏡装置。
【請求項５】
上記規制部材は、板体であることを特徴とする請求項２、又は請求項３に記載の内視鏡装置。
【発明の詳細な説明】
【技術分野】
【０００１】
本発明は、外部電源、及び外部機器と電気的に接続される各種電気コネクタ部を備えた装置本体を具備する内視鏡装置に関する。
【背景技術】
【０００２】
周知のように、内視鏡装置は、医療分野及び工業用分野において広く利用されている。医療分野において用いられる内視鏡装置は、内視鏡の細長い挿入部を体腔内に挿入することによって、体腔内の臓器を観察したり、必要に応じて処置具の挿通チャンネル内に挿入した処置具を用いて各種処置をしたりすることができる。
【０００３】
また、工業用分野において用いられる内視鏡装置は、内視鏡の細長い挿入部をジェットエンジン内、工場の配管等に挿入することによって、被検部位の傷、及び腐蝕等の観察、各種処置等を行うことができる。
【０００４】
工業用の内視鏡装置は、例えば先端に、撮像レンズ、ＣＣＤ等の撮像素子を有する撮像ユニットが配設された細長の挿入部を有する内視鏡と、該内視鏡が接続された装置本体とにより構成されているのが一般的である。この内視鏡装置の装置本体には、外部電源、或いは外部機器に接続するための各種コネクタ、記憶媒体を電気的に接続して収容するための収容部などの電気的なコネクタ部が設けられている。
【０００５】
このような、内視鏡装置は、塵、水気などのある室内で用いられる他、室外で用いられ、埃、雨、湿気などにさらされた場所で使用される場合がある。そのため、このような工業用の内視鏡装置を問わず、各種電子機器では、上述の各種電気的なコネクタ部の防塵防水性を保持する構造が不可欠となる。
【０００６】
このような電子機器への防塵防水構造の技術について、例えば、特許文献１には、２つのコネクタ用開口部のそれぞれを独立して覆うようにした、ヒンジ部を備える防水キャップ構造が開示されている。
【特許文献１】特開２００３−２１７７３４号公報
【発明の開示】
【発明が解決しようとする課題】
【０００７】
しかしながら、特許文献１に記載の防水キャップ構造では、弾性部材の特性により、防水片の剛性が低くやわらかいため、防水片が捩れにより、確実にコネクタ用開口部に係入されず、コネクタ用開口部への圧接性が低下してしまう場合がある。
【０００８】
また、従来の防水片は、自己の弾性力でのみコネクタ用開口部の内側面を押圧しており、この押圧によるコネクタ用開口部への圧接性が低いと、水圧によっては、確実に水密性を保持することができない場合がある。
【０００９】
その一方で、従来の防水片を硬質な合成樹脂などにより形成した場合、コネクタ用開口部の防塵防水性が弾性部材を用いた場合に比して非常に低下してしまう。
【００１０】
そこで、本発明は、上記事情に鑑みてなされたものであり、その目的とするところは、装置本体に設けられた電気的コネクタ部を確実に防塵防水することができる防塵防水構造を備えた内視鏡装置を提供することを目的とする。
【課題を解決するための手段】
【００１１】
上記目的を達成するために本発明による内視鏡装置は、内視鏡、及び装置本体を具備し、上記装置本体の一面に配設され、外部機器、或いは電源と接続される電気コネクタが凹部内に配設された電気コネクタ部と、該電気コネクタ部の上記凹部に着脱自在に密接して係入される軟質部と、該軟質部上に固設され、該軟質部の外形よりも大きな外形を備えた硬質部と、を有するカバー体と、を備えたことを特徴とする。
【発明の効果】
【００１２】
本発明によれば、装置本体に設けられた電気的コネクタ部を確実に防塵防水することができる防塵防水構造を備えた内視鏡装置を実現することができる。
【発明を実施するための最良の形態】
【００１３】
以下、図面を参照して本発明の実施の形態を説明する。尚、本実施の形態の内視鏡装置は、携帯性に優れたショルダ式の工業用の内視鏡装置を例に挙げて説明する。
【００１４】
図１は、本発明の一実施の形態を示す内視鏡装置を、装置本体からモニタを回転起上させた状態の斜視図、図２は図１の装置本体を背面側からみた内視鏡装置の拡大斜視図、図３は装置本体にモニタが閉じられた未使用時の内視鏡装置を示す斜視図、図４は内視鏡装置の左側面図、図５は内視鏡装置の右側面図、図６は電気コネクタ側のコネクタカバーの構成を示す表面側からみた斜視図、図７は電気コネクタ側のコネクタカバーの構成を示す裏面側から見た斜視図、図８は図６のＶＩＩＩ−ＶＩＩＩ線に沿ったコネクタカバーの断面図、図９は装置本体の外装筐体に固定されたコネクタカバーを示す斜視図、図１０はコネクタカバーが電気接続部の凹部に係合した状態を示す断面図、図１１は電源コネクタ側のコネクタカバーの構成を示す表面側から見た平面図、図１２は電源コネクタ側のコネクタカバーの構成を示す裏面側から見た平面図、図１３は図１１のＸＩＩＩ−ＸＩＩＩ線に沿って切断したコネクタカバーの断面図、図１４は第１の変形例のコネクタカバーの構成を示す分解斜視図、図１５は第２の変形例のコネクタカバーの構成を示す分解斜視図、図１６は図１５のコネクタカバーの一方向の断面図である。
【００１５】
図１に示すように、内視鏡装置１は、内視鏡２と、この内視鏡２が接続された装置本体３と、により主要部が構成されている。  
内視鏡２は、細長な可撓性を有する挿入部２０と、この挿入部２０の挿入方向基端側に接続された操作部２１と、この操作部２１から延出された可撓性を有する接続ケーブルであるユニバーサルコード２２と、このユニバーサルコード２２の延出端に接続された後述するコネクタボックス４０（図２、及び３参照）と、により主要部が構成されている。尚、ユニバーサルコード２２、及びコネクタボックス４０により、内視鏡２と装置本体３とが接続されている。
【００１６】
挿入部２０の先端部の内部には、対物レンズ等の対物光学系、被検部位を撮像するＣＣＤ等の撮像素子を有する撮像ユニット、被検部位を照明するＬＥＤ等の光源（いずれも不図示）等が配設されている。尚、撮像ユニット、或いは光源は、操作部２１の内部、或いは装置本体３の外装筐体４により覆われた内部に設けられていても構わない。
【００１７】
装置本体３は、例えば箱状を有しており、マグネシウム等の硬質な金属から形成された外装筐体４に、内視鏡２の撮像ユニットにより撮像された内視鏡画像を表示するＬＣＤ（Ｌｉｑｕｉｄ  Ｃｒｙｓｔａｌ  Ｄｉｓｐｌｙ）などの画像表示部８を有するモニタ５が開閉して、使用時と未使用に使い分けられるように回動自在に固定されている。
【００１８】
詳しくは、モニタ５は、回動支持部１３（図２参照）を介して装置本体３の外表面に固定されている。この回動支持部１３には、内部に図示しないステーが設けられており、このステーにモニタ５が回動保持されている。詳述すると、ステーとモニタ５との連結において、モニタ５は、画像表示部８が設けられる合成樹脂により形成された枠体がステーに回動保持されている。尚、内視鏡２の撮像ユニットが光電変換した画像信号は、装置本体３から延出し、モニタ５と着脱自在な通信ケーブル１８によって、モニタ５へ出力される。
【００１９】
また、モニタ５は、内視鏡装置１が使用されるとき、画像表示部８が設けられたモニタ面６と反対側の背面部７が、装置本体３の外装筐体４の図１中背面側に装着された後述するコネクタボックス４０（図２参照）から離間する方向へ回転されて、起き上がった状態にされる。尚、モニタ５は、内視鏡装置１が未使用の際は、モニタ５の背面部７が、コネクタボックス４０と重畳するように回動されて閉じられる。
【００２０】
モニタ５のモニタ面６には、内視鏡装置１が未使用の際、画像表示部８を覆って保護するカバー板９が固定されている（図３参照）。このカバー板９は、画像表示部８に対向するカバー板９の対向面１０が、画像表示部８に対して開閉自在となるよう、モニタ面６に固定されている。
【００２１】
また、箱状の装置本体３の外装筐体４の角部には、装置本体３を戴置するための例えばＮＢＲ等のゴムにより形成された、複数の脚部２９が固定されている。これら脚部２９は、装置本体３を、地表等に対し、複数の姿勢により載置できるように設けられたものである。
【００２２】
また、この外装筐体４は、図３に示すように、一側部（紙面に向かって見た上部側）にハンドリングのためのハンドル部１７を備え、この一側部側でモニタ５を回動保持する回動支持部１３に設けられたステー（不図示）を固定している。
【００２３】
内視鏡２が接続されているコネクタボックス４０は、収容室４５に対して着脱自在な構成がとられている。このコネクタボックス４０は、コネクタボックス収容室４５内に装着された後、外装筐体４に設けられた２つの回転ファスナ４１の爪部４２が、コネクタボックス４０に係止されることにより、コネクタボックス収容室４５内に固定されて収容される。
【００２４】
また、コネクタボックス４０は、図２に示すように、内視鏡２のユニバーサルコード２２の延出端に設けられたコネクタ２３に固定された略箱状の部材である。このコネクタボックス４０は、凹状のフレーム部材３０ｂと、このフレーム部材３０ｂの開口に対して複数のビス３８によって、着脱自在な薄板状の蓋体３０ａと、により主要部が構成されている。
【００２５】
図１に戻って、装置本体３内には、コネクタボックス４０以外の電気部品、画像処理用の基板により画像処理された画像データを記録する記録媒体、内視鏡２と装置本体３に電力を供給するバッテリ等が設けられている。
【００２６】
一例を挙げると、バッテリは、外装筐体４の側面に対し、蝶番２８により開閉自在に設けられたバッテリ用蓋体２７の開閉により、装置本体３内に設けられた図示しないバッテリ収容室に対し、挿抜自在に収容される構成となっている。また、バッテリがバッテリ収容室に挿入され収容された後、バッテリ用蓋体２７は、固定ピン２６によりロックされる。尚、バッテリ以外の装置本体３内の内容物の配置構造は、周知の構成であるため、その説明は省略する。
【００２７】
また、外装筐体４の側面部には、種々の電気コネクタ部が配設されている。具体的には、本実施の形態において、モニタ５が折畳まれた方向を前面とした場合、図４に示すように、外装筐体４の右側面部には、２つの電気コネクタ部１４，１５が上下に並設されている。
【００２８】
これら電気コネクタ部１４，１５のうち、上部側の電気コネクタ部１４には、凹部１１の底面部にＣＦカード［コンパクトフラッシュ（登録商標）］等のメモリカードが着脱自在に挿設される電気的接点部となるカードスロット３３が露出するように設けられている。
【００２９】
また、下部側の電気コネクタ部１５には、凹部１２の底面部に、外部の計測器、無線機、或いは映像機器に接続するためのＵｎｉｖｅｒｓａｌ  Ｓｅｒｉａｌ  Ｂｕｓ（ＵＳＢコネクタ）、高周波特性が良いＢａｙｏｎｅｔ  ｎｅｉｌｌ  ｃｏｎｃｅｌｍａｎ  ｃｏｎｎｅｃｔｏｒ（ＢＮＣコネクタ）等の電気的接点部となる複数の電気コネクタ２４が露出するように設けられている。
【００３０】
その一方で、図５に示すように、モニタ５が折畳まれた方向を前面として、外装筐体４の左側面部の下方には、電源用の電気コネクタ部４６が設けられている。この電気コネクタ部４６には、凹部１９の底部から装置内部方向へ凹状に形成されたＤＣ電源用の電気接点部となるＤＣジャック２５が設けられている。尚、このＤＣジャック２５からの電源により、装置本体３への給電を行うものであるが、この電源供給により上述したバッテリへの充電も行うことができる。
【００３１】
これらの電気コネクタ部１４，１５，４６には、図３に示したように（図３では外装筐体４の左側面部のみ図示している）、防塵防水のため、カバー体であるコネクタカバー３１，３２（７１：図１１参照）が夫々の凹部１１，１２，１９に圧接して開口部を封止するように設けられている。
【００３２】
ここで、先ず、コネクタカバー３１，３２の構成について、図６〜図８を用いて、以下に説明する。尚、本実施の形態の２つのコネクタカバー３１，３２は、同一の構成であり、大きさのみ異なるため、以下の説明において、２つ同時に説明する。  
図６〜図８に示すように、本実施の形態のコネクタカバー３１（３２）は、軟性合成樹脂、ゴムなどの弾性部材から形成された軟質板体５１と、この軟質板体５１の側部から互いの板面が略直角となるように一体形成された接続板部５２と、軟質板体５１の縁辺に沿って、この軟質板体５１の裏面となる一面から一体的に、接続板部５２の延出方向と同一の方向へ突出した中空の軟性部であるパッキン部５４と、軟質板体５１の表面となる他面に設けられた金属、或いは硬質な合成樹脂により形成された硬質部である硬質板体５７と、中空のパッキン部５４により形成された略直方体形状の凹部内の両短辺側に設けられた金属、或いは硬質な合成樹脂から形成された規制部材である２つの規制ブロック体５９と、を主に有して構成されている。
【００３３】
軟質板体５１は、接続板部５２が直角に延出する一側長辺部近傍に、に沿って形成された２つの長孔５３と、これら長孔５３が形成された反対側の他側長辺の略中央にもうけられる指掛部５６と、を有している。また、接続板部５２には、コネクタカバー３１（３２）を外装筐体４に固定するための２つのビス長孔６０が形成されている。
【００３４】
パッキン部５４には、外側面全体に亘って、ここでは３つの凸状のパッキンリブ５５が形成されている。また、このパッキン部５４は、延出側の肉厚が小さくなるように段部が形成されている（図８参照）。
【００３５】
硬質板体５７は、軟質板体５１の表面に面接触した状態で配置されている。本実施の形態では、硬質板体５７と、２つの規制ブロック体５９は、軟質板体５１を挟持した状態として互いが複数のビス５８によって螺着することで、軟質板体５１に固定されている。また、挿通するビス５８の軟質板体５１の夫々のビス孔には、金属円環のカラー６１が設けられている（図８参照）。このカラー６１は、軟質板体５１のビス孔の裂け防止のために配置されるものである。
【００３６】
さらに、ビス５８が螺合する規制ブロック体５９に形成されるネジ穴は、ネジ穴を介して水気などの浸入を防止して、硬質板体５７の表面と、軟質板体５１の裏面との水密性を確実に保つため、規制ブロック体５９を貫通する構成となっていない。
【００３７】
尚、これら硬質板体５７、及び２つの規制ブロック体５９は、ビス５８による固定に限ることなく、接着剤によって軟質板体５１へ固着されていても良い。また、規制ブロック体５９は、３つの側面がパッキン部５４の一方の短辺と２つの長辺が繋がってコの字状となった内側面と密接した状態で面接触している。また、硬質板体５７は、軟質板体５１の表面に配設された状態において、パッキン部５４が延出する軟質板体５１に離反した全ての表面上に位置するように設けられている。
【００３８】
以上のように構成された、コネクタカバー３１，３２は、図９に示すように、夫々が対応した電気コネクタ部１４，１５の位置において、接続板部５２が装置本体３の外装筐体４の背面に板体６４に押さえられた状態で、ビス６５によって固定される。これにより、コネクタカバー３１，３２の夫々は、外装筐体４の側面に設けられた電気コネクタ部１４，１５の凹部１１，１２の開口部に対して開閉自在となる。
【００３９】
また、コネクタカバー３１，３２は、軟質板体５１に、上述したように、接続板部５２との近傍縁辺部分に長孔５３（図６参照）が形成されていることで柔軟に開閉を行えるようになっている。尚、本実施の形態において、軟質板体５１と接続板部５２の互いの面が略直角となっているため、軟質板体５１には、自己の弾性力により、常に、電気コネクタ部１４，１５側へ付勢される応力が働いている。
【００４０】
このように装置本体３の外装筐体４に固定されたコネクタカバー３１，３２は、内視鏡装置１の未使用時などにおいて、図３に示したように、電気コネクタ部１４，１５の凹部１１，１２を防塵防水するように閉じられた状態にされる。
【００４１】
そして、コネクタカバー３１，３２は、内視鏡装置１の使用前、或いは使用中のときでも、電気コネクタ部１４のカードスロット３３にＣＦカード等、或いは電気コネクタ２４にケーブル等を係入接続されるとき、指掛部５６（図６参照）にユーザの指が掛けられ、図４、及び図９に示したように、各コネクタ部１４，１５の凹部１１，１２の開口部が露出するように開けられる。
【００４２】
その後、コネクタカバー３１，３２は、内視鏡装置１の使用後、或いは使用中のときでも、ケーブル等が取り外された電気コネクタ部１４，１５の凹部１１，１２の開口部夫々を塞ぐように、外装筐体４の側面に向けて閉じられる。
【００４３】
このとき、ユーザは、コネクタカバー３１，３２の硬質板体５７の表面を電気コネクタ部１４，１５に向けて押圧する。すると、コネクタカバー３１，３２は、パッキン部５４が電気コネクタ部１４，１５の凹部１１，１２に係入される。
【００４４】
ここで、コネクタカバー３１が電気コネクタ部１５の凹部１２に係入された状態について、図１０を用いて、以下に説明する。尚、図１０では、コネクタカバー３１の作用を示し、構成が同一のコネクタカバー３２についての説明を省略する。
【００４５】
図１０に示すように、コネクタカバー３１は、硬質板体５７の表面がユーザにより押圧されると、電気コネクタ部１５の凹部１２にパッキン部５４が係入される。このとき、コネクタカバー３１には、ユーザにより、硬質板体５７の表面上の何処が押圧されても、硬質板体５７に面による均一な押圧力が軟質板体５１に与えられる。
【００４６】
つまり、コネクタカバー３１の硬質板体５７は、軟質板体５１の離反した面に設けられたパッキン部５４の全体が軟質板体５１を介して覆われるように、このパッキン部５４の外形よりも大きな外形寸法が設定されている。そのため、硬質板体５７は、均一な面圧で軟質板体５１を押圧し、これに合わせて、パッキン部５４全体がその押圧力を受けて凹部１２へ係入する。
【００４７】
これにより、軟質板体５１、及びパッキン部５４が捩れることなく、パッキン部５４は、確実に電気コネクタ部１５の凹部１２に密接して係合される。そして、この状態において、パッキン部５４の外周面に形成されたパッキンリブ５５が凹部１２の内壁に圧接される。
【００４８】
また、コネクタカバー３１の２つの規制ブロック体５９は、パッキン部５４の変形を規制すると共に、凹部１２の内壁とによって、パッキン部５４を挟持する。すなわち、パッキン部５４は、２つの規制ブロック体５９と凹部１２の内壁により挟まれた状態となり、確実にパッキンリブ５５が凹部１２の壁面に圧接された状態となる。
【００４９】
これにより、電気コネクタ部１５の凹部１２は、コネクタカバー３１に完全に防塵防水状態で覆われる。従って、この凹部１２には、埃、塵、水気などの進入が防止され、その開口部が完全に封止されるため、内部に配設された複数の電気コネクタ２４が密閉された状態となる。尚、コネクタカバー３１が閉じられるとき、パッキン部５４は、延出端となる凹部１２の電気コネクタ２４が配された底面側の端部分の肉厚が段状に薄く形成されているため、凹部１２へスムーズに係入される。
【００５０】
以上に説明したように、本実施の形態のコネクタカバー３１（３２）の構成により、電気コネクタ部１５（１４）の凹部１２（１１）へ係入されるパッキン部５４のパッキンリブ５５が凹部１２（１１）の内壁面へ圧接して、密着することによる防塵防水性が向上する。
【００５１】
ところで、図５に示した、外装筐体４の左側面部の下方に設けられる電源用の電気コネクタ部４６には、図１１〜図１３に示すような、コネクタカバー７１が配設される。  
このコネクタカバー７１は、図１１〜図１３に示すように、指掛部７５を一側部に有する軟質板体７２と、接続板部７３とが連続した略平板状の弾性部材から形成されており、これらの境界部に長孔７４を有している。
【００５２】
この、軟質板体７２は、裏面から一体的に突出する３本のパッキンリブ８６が外側面に形成された軟質部を構成しているパッキン部８５を有し、表面上に金属、或いは硬質な合成樹脂の硬質部を構成している硬質板体７６と、裏面のパッキン部８５により形成された凹部に金属、或いは硬質な合成樹脂の規制部材を構成している規制板８１と、に挟まれるように２つのビス７７によって固定されている。
【００５３】
また、接続板部７３には、表面上に外装筐体４の電気コネクタ部４６（図５参照）の表面に面で押圧固定するための板体７８と、この板体７８を電気コネクタ部４６に固定のための２つのビス７９が設けられる。
【００５４】
この電源用の電気コネクタ部４６に設けられるコネクタカバー７１は、上述のコネクタカバー３１，３２と、略同一な構成となっているが、大きさが小さいため、軟質板体７２の裏面にブロック体（５９）ではなく、単なる硬質な板体である規制板８１が設けられている。すなわち、軟質板体７２は、表面の硬質板体７６と、裏面のパッキン部８５により形成された凹部の外形と同一の規制板８１とにより、挟まれた状態となっている。また、ここでも、硬質板体７６の外形部は、パッキン部８５の外形よりも大きく設定されている。
【００５５】
尚、硬質板体７６と規制板８１とは、この規制板８１に形成され、カラー６１が設けられた貫通ネジ孔に直接ビス７７が螺合することにより軟質板体７２密着するように挟持して互いが固定される。また、貫通ネジ孔は、規制板８１の表面側（軟質板体７２の裏面側）でビス７７が螺合した後、接着剤８２により気密に封止される。これにより、ビス７７を介した、硬質板体７６の表面側からの水分等の浸入を確実に防止している。
【００５６】
このように構成されたコネクタカバー７１は、電気コネクタ部４６に固定され、上述の各コネクタカバー３１，３２と同様にして、ＤＣジャック２５が底面に配設された凹部１９にパッキン部８５が密接して係入され、パッキンリブ８６が凹部１９の側壁と密着する。外装筐体４の電気コネクタ部４６に閉じられた状態のコネクタカバー７１は、規制板８１が凹部１９の側壁とパッキン部８５を挟んだ状態にし、パッキンリブ８６が変形して凹部１９の壁面と密着するため、電気コネクタ部４６の凹部１９内を確実に防塵防水構造とすることができる。
【００５７】
また、硬質板体７６は、表面の一部分が押圧された状態でも、軟質板体７２を面で押圧すると共に、外形部分が軟質板体７２のパッキン部８５を電気コネクタ部４６の凹部１９に向けて押圧する。そのため、軟質板体７２、及びパッキン部８５が捩れることなく、このパッキン部８５が電気コネクタ部４６の凹部１９に係合される。
【００５８】
従って、本実施の形態の内視鏡装置１は、以上に説明したコネクタカバー３１，３２，７１の構成により、装置本体３の外装筐体４に設けられた電気的コネクタ部１４，１５，４６を確実に防塵防水した防塵防水構造を備えた構成となる。
【００５９】
尚、図１４に示すように、硬質板体９１は、中央が刳り抜かれ、孔部９１ａが形成されていても良い。つまり、硬質板体９１は、外形部分に軟質板体９２を介して、パッキン部９３を押圧できるだけの幅があれば良い。これにより、硬質板体９１を軽量化することができ、コネクタカバー全体も軽量となる。
【００６０】
また、規制板９５も、中央が刳り抜かれ、孔部９５ａが形成されていても良い。つまり、規制板９５は、パッキン部９３の内部方向の変形を規制するだけの剛性があれば良い。これにより、規制板９５も軽量となり、さらに、コネクタカバーが軽量となる。
【００６１】
これらの硬質板体９１、及び規制板９５は、軟質板体９２に夫々が接着剤によって固定されていても良いし、ネジにより互いが軟質板体９２を挟持して固定されていても良い。
【００６２】
さらに、コネクタカバーは、図１５、及び図１６に示すように、硬質板体９６に規制凸部９７を一体的に設け、この規制凸部９７の側壁にパッキン部９４のみを接着した構成としても良い。尚、このような構成では、硬質板体９６にヒンジ機構９８を設けて、接続板部９９を回動自在にしている。このような構成とすることで、コネクタカバーは、防塵防水性が衰えた場合、劣化したパッキン部９４のみの交換だけで良くなる。
【００６３】
以上の実施の形態に記載した発明は、その実施の形態、及び変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００６４】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６５】
【図１】本発明の一実施の形態に係る、装置本体からモニタを回転起上させた状態の内視鏡装置の斜視図。
【図２】同、装置本体を背面側からみた内視鏡装置の拡大斜視図。
【図３】同、装置本体から内視鏡を脱却した状態を示す内視鏡の斜視図。
【図４】同、内視鏡装置の左側面図。
【図５】同、内視鏡装置の右側面図。
【図６】同、電気コネクタ側のコネクタカバーの構成を示す表面側からみた斜視図。
【図７】同、電気コネクタ側のコネクタカバーの構成を示す裏面側から見た斜視図。
【図８】同、図６のＶＩＩＩ−ＶＩＩＩ線に沿ったコネクタカバーの断面図。
【図９】同、装置本体の外装筐体に固定されたコネクタカバーを示す斜視図。
【図１０】同、コネクタカバーが電気接続部の凹部に係合した状態を示す断面図。
【図１１】同、電源コネクタ側のコネクタカバーの構成を示す表面側から見た平面図。
【図１２】同、電源コネクタ側のコネクタカバーの構成を示す裏面側から見た平面図。
【図１３】同、図１１のＸＩＩＩ−ＸＩＩＩ線に沿って切断したコネクタカバーの断面図。
【図１４】同、第１の変形例のコネクタカバーの構成を示す分解斜視図。
【図１５】同、第２の変形例のコネクタカバーの構成を示す分解斜視図。
【図１６】同、図１５のコネクタカバーの一方向の断面図。
【符号の説明】
【００６６】
１・・・内視鏡装置
２・・・内視鏡
３・・・装置本体
４・・・外装筐体
１１，１２，１９・・・凹部
１４，１５，４６・・・電気コネクタ部
２４・・・電気コネクタ
２５・・・ＤＣジャック
２６・・・固定ピン
３１，３２，７１・・・コネクタカバー
３３・・・カードスロット
５１，７２・・・軟質板体
５２・・・接続板部
５３・・・長孔
５４・・・パッキン部
５５・・・パッキンリブ
５６・・・指掛部
５７，７６・・・硬質板体
５９・・・規制ブロック体
６０・・・ビス長孔
６１・・・カラー
６４・・・板体
【図１】
2008287188.tif 000003
【図２】
2008287188.tif 000004
【図３】
2008287188.tif 000005
【図４】
2008287188.tif 000006
【図５】
2008287188.tif 000007
【図６】
2008287188.tif 000008
【図７】
2008287188.tif 000009
【図８】
2008287188.tif 000010
【図９】
2008287188.tif 000011
【図１０】
2008287188.tif 000012
【図１１】
2008287188.tif 000013
【図１２】
2008287188.tif 000014
【図１３】
2008287188.tif 000015
【図１４】
2008287188.tif 000016
【図１５】
2008287188.tif 000017
【図１６】
2008287188.tif 000018